(57)【要約】  ユーザ機器（ＵＥ）のための方法が説明される。本方法は、ＵＥの受信回路を介して、（ｉ）プライマリセル（ＰＣｅｌｌ）から同期信号（ＳＳ）ブロックビットマップを受信するステップであって、前期ＳＳブロックビットマップは、１以上のＳＳブロックインデックスに対応する１以上のＳＳブロックビットを有しているステップと、（ｉｉ）受信回路を介して、ＳＳブロックビットマップに基づいてセカンダリセル（ＳＣｅｌｌ）からの１以上のＳＳブロックを監視または測定するステップとを含む。
2021503230.tif 000002
【特許請求の範囲】
【請求項１】
ユーザ機器（ＵＥ）のための方法であって、
前記ＵＥの受信回路を介して、セカンダリセル（ＳＣｅｌｌ）またはプライマリセカンダリセル（ＰＳＣｅｌｌ）のための同期信号（ＳＳ）ブロックビットマップを基地局から受信するステップであって、前記ＳＳブロックビットマップは、１以上のＳＳブロックインデックスに対応する１以上のＳＳブロックビットを有している、ステップと、
前記ＳＳブロックビットマップに基づいて、前記ＳＣｅｌｌまたは前記ＰＳＣｅｌｌから１以上のＳＳブロックのリソース位置を取得するステップと、を含み、
前記ＳＣｅｌｌまたは前記ＰＳＣｅｌｌによって前記ＵＥを構成する場合、前記ＳＳブロックビットマップは、前記基地局によって専用シグナリングを介して構成される、方法。
【請求項２】
前記ＵＥの伝送回路によって、測定レポートを、前記基地局のプライマリセル（ＰＣｅｌｌ）へ提供するステップをさらに含み、前記測定レポートは、前記ＳＣｅｌｌまたは前記ＰＳＣｅｌｌのビーム関連測定値を有している、請求項１に記載の方法。
【請求項３】
前記ＳＳブロックビットマップは、前記基地局のプライマリセル（ＰＣｅｌｌ）から受信され、前記ＰＣｅｌｌと前記ＳＣｅｌｌが同じセルグループであるか、または前記ＰＣｅｌｌと前記ＰＳＣｅｌｌが同じセルグループである、請求項１に記載の方法。
【請求項４】
前記ＳＳブロックビットマップは、前記基地局のプライマリセル（ＰＣｅｌｌ）から受信され、前記ＰＣｅｌｌと前記ＳＣｅｌｌが異なるセルグループであるか、または前記ＰＣｅｌｌと前記ＰＳＣｅｌｌが異なるセルグループである、請求項１に記載の方法。
【請求項５】
前記１以上のＳＳブロックインデックスは、前記ＳＣｅｌｌまたは前記ＰＳＣｅｌｌからのバーストにおける１以上のＳＳブロック位置に対応する、請求項１に記載の方法。
【請求項６】
「１」である前記１以上のＳＳブロックビットは、前記対応する１以上のＳＳブロックが前記ＵＥによって測定されることを示し；
「０」である前記１以上のＳＳブロックビットは、前記対応する１以上のＳＳブロックが前記ＵＥによって測定されないことを示す、請求項１に記載の方法。
【請求項７】
ユーザ機器（ＵＥ）であって、
コンピュータ実行可能命令が具現化されている、１以上の非一時的コンピュータ可読媒体と、
前記１以上の非一時的コンピュータ可読媒体に接続されており、前記コンピュータ実行可能命令を実行して、
前記ＵＥの受信回路を介して、基地局から、１以上のＳＳブロックインデックスに対応する1以上のＳＳブロックビットを有する、セカンダリセル（ＳＣｅｌｌ）またはプライマリセカンダリセル（ＰＳＣｅｌｌ）のための同期信号（ＳＳ）ブロックビットマップを受信し、
前記ＳＳブロックビットマップに基づいて、前記ＳＣｅｌｌまたは前記ＰＳＣｅｌｌから１つ以上のＳＳブロックのリソース位置を取得するように構成される、少なくとも１つのプロセッサとを備えており、
前記ＳＣｅｌｌまたは前記ＰＳＣｅｌｌによって前記ＵＥを構成する場合、前記ＳＳブロックビットマップは、前記基地局によって専用シグナリングを介して構成される、ユーザ機器。
【請求項８】
前記少なくとも１つのプロセッサは、前記コンピュータ実行可能命令を実行し、
前記ＵＥの伝送回路によって、前記基地局のプライマリセル（ＰＣｅｌｌ）へ測定レポートを伝送するようにさらに構成されており、前記測定レポートは、前記ＳＣｅｌｌまたは前記ＰＳＣｅｌｌのビーム関連測定値を含む、請求項７に記載のＵＥ。
【請求項９】
前記ＳＳブロックビットマップは、前記基地局のプライマリセル（ＰＣｅｌｌ）から受信され、前記ＰＣｅｌｌと前記ＳＣｅｌｌが同じセルグループであるか、または前記ＰＣｅｌｌと前記ＰＳＣｅｌｌが同じセルグループである、請求項７に記載のＵＥ。
【請求項１０】
前記ＳＳブロックビットマップは、前記基地局のプライマリセル（ＰＣｅｌｌ）から受信され、前記ＰＣｅｌｌと前記ＳＣｅｌｌが異なるセルグループであるか、または前記ＰＣｅｌｌと前記ＰＳＣｅｌｌが異なるセルグループである、請求項７に記載のＵＥ。
【請求項１１】
前記１以上のＳＳブロックインデックスは、前記ＳＣｅｌｌまたは前記ＰＳＣｅｌｌからのバーストにおける１以上のＳＳブロック位置に対応する、請求項７に記載のＵＥ。
【請求項１２】
「１」である前記１以上のＳＳブロックビットは、前記対応する１以上のＳＳブロックが前記ＵＥによって測定されることを示しており、
「０」である前記１以上のＳＳブロックビットは、前記対応する１以上のＳＳブロックが前記ＵＥによって測定されないことを示している、請求項７に記載のＵＥ。
【請求項１３】
基地局のための方法であって、
前記基地局の受信回路を介して、ユーザ機器（ＵＥ）から、前記基地局のセカンダリセル（ＳＣｅｌｌ）またはプライマリセカンダリセル（ＰＳＣｅｌｌ）のビーム関連測定値を含む測定レポートを受信するステップと、
前記ＵＥに対して、前記ＳＣｅｌｌまたは前記ＰＳＣｅｌｌと、前記ＳＣｅｌｌまたは前記ＰＳＣｅｌｌのための同期信号（ＳＳ）ブロックビットマップとを、構成するステップと、
前記基地局の伝送回路を介して、前記基地局のプライマリセル（ＰＣｅｌｌ）からの専用シグナリングを介して前記ＳＳブロックビットマップを前記ＵＥへ提供するステップと、を含み、
前記ＳＳブロックビットマップは、１以上のＳＳブロックインデックスに対応する１以上のＳＳブロックビットを含む、方法。
【請求項１４】
前記ＳＳブロックビットマップは、前記基地局の前記ＰＣｅｌｌからの無線リソース制御（ＲＲＣ）シグナリングを介して、前記ＵＥに伝送される、請求項１３に記載の方法。
【請求項１５】
前記ＰＣｅｌｌと前記ＳＣｅｌｌが同じセルグループであるか、または前記ＰＣｅｌｌと前記ＰＳＣｅｌｌが同じセルグループである、請求項１３に記載の方法。
【請求項１６】
前記ＰＣｅｌｌと前記ＳＣｅｌｌが異なるセルグループであるか、または前記ＰＣｅｌｌと前記ＰＳＣｅｌｌが異なるセルグループである、請求項１３に記載の方法。
【請求項１７】
前記１以上のＳＳブロックインデックスは、前記ＳＣｅｌｌまたは前記ＰＳＣｅｌｌからのバーストにおける１以上のＳＳブロック位置に対応している、請求項１３に記載の方法。
【請求項１８】
「１」である前記１以上のＳＳブロックビットは、前記対応する１以上のＳＳブロックが前記ＵＥによって測定されることを示しており、
「０」である前記１以上のＳＳブロックビットは、前記対応する１以上のＳＳブロックが前記ＵＥによって測定されないことを示している、請求項１３に記載の方法。
【発明の詳細な説明】
【技術分野】
【０００１】
〔関連出願とのクロスレファレンス〕
本出願は、２０１７年１１月１４日に出願された米国特許出願第６２／５８５，６０７号、「Ｍｅｔｈｏｄ  ａｎｄ  Ａｐｐａｒａｔｕｓ  ｆｏｒ  ａ  Ｎｅｔｗｏｒｋ  Ａｓｓｉｓｔｅｄ  Ｔｒａｎｓｍｉｓｓｉｏｎ  ｗｉｔｈ  Ｍｕｌｔｉｐｌｅ  Ｃｏｍｐｏｎｅｎｔ  Ｃａｒｒｉｅｒｓ」、代理人整理番号ＵＳ７２２３３（以下、「ＵＳ７２２３３出願」と呼ぶ）の利益および優先権を主張する。ＵＳ７２２３３出願の開示は、参照により本出願に全体的に組み込まれる。
【０００２】
〔分野〕
本開示は、概して、無線通信技術に関し、より詳細には、複数のコンポーネントキャリアを用いたネットワークアシスト伝送に関する。
【背景技術】
【０００３】
〔背景〕
第４世代（４Ｇ）ロングタームエボリューション（ＬＴＥ；Long Term Evolution）無線通信システムでは、複数のキャリア伝送を利用するために、ユーザ機器（ＵＥ）は、以下のことを必要とする。（ｉ）最初に、プライマリセル（ＰＣｅｌｌ）への接続を確立する。（ｉｉ）ＰＣｅｌｌから受信した測定構成に応じて測定を実行する。（ｉｉｉ）接続するための１以上のコンポーネントキャリア（ＣＣ）（例えば、セカンダリセル（ＳＣｅｌｌ））を決定するために、対応する測定レポートをカレントサービング基地局に送信する。次世代（例えば、第５世代（５Ｇ）新無線（ＮＲ））無線通信ネットワークでは、キャリアアグリゲーション（ＣＡ）およびデュアルコネクティビティ（ＤＣ）などのマルチキャリア伝送がより高い周波数帯域で動作することになる。したがって、次世代無線通信ネットワークにおけるマルチキャリア伝送は、高周波数帯域における高経路損失を補償する必要があり得る。
【０００４】
高次変調（例えば、６４ＱＡＭ）のような高周波数帯域におけるビームオペレーションは、高品質の信号によってサポートされる必要がある。したがって、次世代無線通信ネットワークはデータ速度を向上させるために、指向性フェーズアレイアンテナから得られるビームフォーミングゲインを利用する必要がある。ビームフォーミングゲインは、伝送（送信）（ＴＸ）アンテナおよび受信（ＲＸ）アンテナの両方で得ることができる。ビームフォーミングゲインは、経路損失によって引き起こされるパフォーマンスの低下を軽減することができるが、ビームフォーミングは、ビーム幅の減少をもたらす場合がある。したがって、ネットワークおよびＵＥは、高いデータ速度を維持するために、特別なプロシージャを実行して、ＴＸビームフォーミングおよびＲＸビームフォーミングの両方について、ビームを目標方向に位置合わせ（align）せねばならない。
【０００５】
ＵＥは、受信電力要件を満たす一対のＲＸビームおよびＴＸビームを見つけるまで、基地局からの各ＴＸビームに対してＲＸビーム走査を実行する必要があるので、従来のビームアラインメントプロシージャ（beam alignment procedure）は過剰な電力消費および長いレイテンシを引き起こす可能性がある。セルグループのキャリアアグリゲーションの場合、セカンダリセル（ＳＣｅｌｌ）のアクティブ化および非アクティブ化が頻繁に起こり得る。各ＳＣｅｌｌアクティブ化のために、時間のかかるビームアライメントプロシージャを実行する必要がある場合は、許容できない、および／または望ましくない。さらに、デュアルコネクティビティへのプライマリＳＣｅｌｌ（ＰＳＣｅｌｌ）の追加について、専用ＲＡＣＨ構成がマスタノードからのビーム情報に基づいて提供され得るので、ＰＳＣｅｌｌ追加のための高速ビームアラインメントプロシージャもまた、所望される可能性がある。
【０００６】
従って、次世代（例えば、５Ｇ  ＮＲ）無線通信システムにおいて、複数のコンポーネントキャリアで伝送するために、ＳＣｅｌｌアクティブ化およびＰＳＣｅｌｌ追加の両方のための改善されたビームアラインメントプロシージャが、当技術分野において必要とされている。
【発明の概要】
【０００７】
〔概要〕
本開示は、複数のコンポーネントキャリアを用いたネットワークアシスト伝送のための方法、装置、およびシステムを対象とする。
【０００８】
本開示の第１態様では、ユーザ機器（ＵＥ）のための方法が説明される。前記方法は、（ｉ）ＵＥの受信回路を介して、プライマリセル（ＰＣｅｌｌ）から同期信号（ＳＳ；Synchronization Signal）ブロックビットマップを受信するステップであって、前記ＳＳブロックビットマップは、１以上のＳＳブロックインデックスに対応する１以上のＳＳブロックビットを有するステップと、（ｉｉ）前記受信回路を介して、前記ＳＳブロックビットマップに基づいてセカンダリセル（ＳＣｅｌｌ）から１以上のＳＳブロックを測定するステップとを含む。
【０００９】
前記第１態様の実施形態では、前記方法は、ＵＥの伝送回路（送信回路）によって、前記ＳＣｅｌｌのビーム関連測定値を含む測定レポートを、前記ＰＣｅｌｌに提供するステップをさらに含む。
【００１０】
前記第１態様の別の実施形態では、前記ＰＣｅｌｌとＳＣｅｌｌが同じセルグループである。
【００１１】
前記第１態様のさらに別の実施形態では、前記ＰＣｅｌｌとＳＣｅｌｌは、異なるセルグループである。
【００１２】
前記第１態様のさらに別の実施形態では、前記１以上のＳＳブロックインデックスは、前記ＳＣｅｌｌからのバーストにおける１以上のＳＳブロック位置に対応する。
【００１３】
前記第１態様のさらに別の実施形態では「１」である前記１以上のＳＳブロックビットは、前記対応する１以上のＳＳブロックがＵＥによって測定されることを示し、「０」である前記１以上のＳＳブロックビットは、前記対応する１以上のＳＳブロックがＵＥによって測定されないことを示す。
【００１４】
本発明の第２の態様では、ユーザ機器（ＵＥ）が記載される。前記ＵＥは、（ｉ）コンピュータ実行可能命令が具現化されている１以上の非一時的コンピュータ可読媒体と、（ｉｉ）少なくとも１つのプロセッサとを備えている。前記少なくとも１つのプロセッサは、前記１以上の非一時的コンピュータ可読媒体に結合されており、以下の前記コンピュータ実行可能命令を実行するように構成される：（ａ）前記ＵＥの受信回路を介して、プライマリセル（ＰＣｅｌｌ）から同期信号（ＳＳ）ブロックビットマップを受信する。前記ＳＳブロックビットマップは、１以上のＳＳブロックインデックスに対応する１以上のＳＳブロックビットを有している。（ｂ）前記受信回路を通して、前記ＳＳブロックビットマップに基づいてセカンダリセル（ＳＣｅｌｌ）から１以上のＳＳブロックを測定する。
【００１５】
前記第２態様の実施形態では、前記少なくとも１つのプロセッサは、前記ＵＥの伝送回路によって、前記ＳＣｅｌｌのビーム関連測定値を含む前記測定レポートを前記ＰＣｅｌｌに伝送する、コンピュータ実行可能命令を実行するようにさらに構成される。
【００１６】
前記第２態様の別の実施形態では、前記ＰＣｅｌｌとＳＣｅｌｌは、同じセルグループである。
【００１７】
前記第２態様のさらに別の実施形態では、前記ＰＣｅｌｌとＳＣｅｌｌは、異なるセルグループである。
【００１８】
前記第２態様のさらに別の実施形態では、前記１以上のＳＳブロックインデックスは、前記ＳＣｅｌｌからのバーストにおける１以上のＳＳブロック位置に対応する。
【００１９】
前記第２態様のさらに別の実施形態では、「１」である前記１以上のＳＳブロックビットは、前記対応する１以上のＳＳブロックがＵＥによって測定されることを示し、「０」である前記１以上のＳＳブロックビットは、対応する１以上のＳＳブロックがＵＥによって測定されないことを示す。
【００２０】
本開示の第３態様では、基地局のための方法が記載される。前記方法は、（ｉ）前記基地局の受信回路を介して、ユーザ機器（ＵＥ）から、前記基地局のセカンダリセル（ＳＣｅｌｌ）のビーム関連測定値を含む測定レポートを受信するステップと、（ｉｉ）前記基地局の伝送回路を介して、前記基地局のプライマリセル（ＰＣｅｌｌ）から前記ＵＥに同期信号（ＳＳ）ブロックビットマップを提供するステップとを含む。前記ＳＳブロックビットマップは、１以上のＳＳブロックインデックスに対応する１以上のＳＳブロックビットを含む。
【００２１】
前記第３態様の実施形態では、前記ＳＳブロックビットマップは、前記基地局の前記ＰＣｅｌｌからの無線リソース制御（ＲＲＣ；Radio Resource Control）シグナリングにより、前記ＵＥに送信される。
【００２２】
前記第３態様の別の実施形態では、前記ＰＣｅｌｌとＳＣｅｌｌは、同じセルグループである。
【００２３】
前記第３態様のさらに別の実施形態では、前記ＰＣｅｌｌとＳＣｅｌｌは、異なるセルグループである。
【００２４】
前記第３態様のさらに別の実施形態では、前記１以上のＳＳブロックインデックスは、前記ＳＣｅｌｌからのバーストにおける１以上のＳＳブロック位置に対応する。
【００２５】
前記第３態様のさらに別の実施形態では、「１」である前記１以上のＳＳブロックビットは、前記対応する１以上のＳＳブロックがＵＥによって測定されることを示し、「０」である前記１以上のＳＳブロックビットは、前記対応する１以上のＳＳブロックがＵＥによって測定されないことを示す。
【図面の簡単な説明】
【００２６】
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【図１】４Ｇ  ＬＴＥ無線システムにおけるキャリアアグリゲーションの有効化および無効化を示すダイアグラムである。
【図２】４Ｇ  ＬＴＥ無線システムにおけるデュアルコネクティビティを有効化および無効化することを示すダイアグラムである。
【図３】ビーム情報のないビームアラインメントプロシージャを示す。
【図４】本願の例示的な実施形態による、ＵＥが資格のあるビームを見つけるのを支援するために、基地局がビーム情報を提供する、ビームアライメントプロシージャを示す。
【図５】セルレベルおよびビームレベル測定レポートの仕組みを示すダイアグラムである。
【図６Ａ】本願の例示的な実施形態による、隣接ビームを推奨する基地局を示すダイアグラムである。
【図６Ｂ】本願の例示的な実施形態による、測定レポートに含まれる参照信号以外の参照信号を推奨する基地局を示すダイアグラムである。
【図７Ａ】本願の例示的な実施形態による、２段階表示のための、ＲＲＣシグナリングおよび媒体アクセス制御要素（ＭＡＣ−ＣＥ；Media Access Control-Control Element）の内容のダイアグラムである。
【図７Ｂ】本願の例示的な実施形態による、２段階表示のための、ＲＲＣシグナリングおよび媒体アクセス制御要素の内容のダイアグラムである。
【図７Ｃ】本願の例示的な実施形態による、２段階表示のための、ＲＲＣシグナリングおよび媒体アクセス制御要素の内容のダイアグラムである。
【図７Ｄ】本願の例示的な実施形態による、２段階表示のための、ＲＲＣシグナリングおよび媒体アクセス制御要素の内容のダイアグラムである。
【図８】本願の例示的な実施形態による、ビーム情報を有するＳＣｅｌｌ構成である、ＳＳブロック実送信テーブルを示すダイアグラムである。
【図９】本願の例示的な実施形態による、ＭＡＣ−ＣＥにおける具体的なビーム情報を示すダイアグラムである。
【図１０】本願の例示的な実施形態による、ＭＡＣ−ＣＥにおける具体的なビーム情報を示すダイアグラムである。
【図１１】本願の例示的な実施形態による、疑似コロケーション（ＱＣＬ；Ｑｕａｓｉ  Ｃｏ−Ｌｏｃａｔｉｏｎ）構成のビーム情報を示すダイアグラムである。
【図１２】本願の例示的な実施形態による、ＤＣＩにおけるビーム情報としての、ＳＣｅｌｌアクティブ化および伝送構成表示（ＴＣＩ；Transmission Configuration Indication）を示すダイアグラムである。
【図１３】本願の例示的な実施形態による、ＲＲＣ接続再構成メッセージにおける、ビーム情報を含むセカンダリセルグループ（ＳＣＧ；Secondary Cell Group）構成を示すダイアグラムである。
【図１４Ａ】本願の例示的な実施形態による、ＵＥのための方法のフローチャートである。
【図１４Ｂ】本願の例示的な実施形態による、基地局のための方法のフローチャートである。
【図１５】本願の様々な態様による、無線通信のためのノードのブロック図を示す。
【発明を実施するための形態】
【００２７】
〔詳細な説明〕
以下の説明は、本開示における典型的な実施形態に関連する特定の情報を含む。本開示における図面およびそれらの添付の詳細な説明は、単に典型的な実施形態に向けられている。しかし、本開示は、これらの典型的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００２８】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００２９】
「１つの実施態様」、「ある実施形態」、「典型的な実施形態」、「様々な実施形態」、「いくつかの実施態様」、「本願の各実施形態」などの語句が用いられるが、このように記載された本願の１または複数の実施形態は、特定の特徴、構造、または、特色を含み得るが、本願のすべての可能な実施形態は、上述の特定の特徴、構造、または、特色を必ず含むとは限らない。また、「１つの実施態様では」または「典型的な実施形態では」という語句を繰り返し使用するが、「ある実施形態」とは、同じ実施態様を指すこともあるが、異なる実施形態を指すことがある。さらに、「本願」に関連して、「各実施形態」などの語句のいずれかを使用したからといって、それが、本願のすべての実施形態が上述の特定の特徴、構造、または、特色を含んでいなければならないという意味には決してならない。そうではなく、「各実施形態」などの語句の使用は、本願の少なくともいくつかの実施形態が上述の特定の特徴、構造、または、特色を含んでいるのだと解釈されるべきである。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００３０】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００３１】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００３２】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ、登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶することができる任意の他の同等の媒体が挙げられるが、これらに限定されない。
【００３３】
無線通信ネットワークアーキテクチャ（例えば、ロングタームエボリューション（ＬＴＥ）システム、ＬＴＥアドバンスト（ＬＴＥ−Ａ）システム、ＬＴＥアドバンストＰｒｏシステム、は、少なくとも１つの基地局、少なくとも１つのユーザ装置（ＵＥ）、およびネットワークへの接続を提供する１以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、基地局によって設定された無線アクセスネットワーク（ＲＡＮ）を通じて、通信する。
【００３４】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１以上のセルと、電波インタフェース上で、信号を送受信するよう構成されている。
【００３５】
基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ／ＧＥＲＡＮにおけるような基地局コントローラ（ＢＳＣ）、５ＧＣに関連するＥ−ＵＴＲＡ基地局におけるようなＮＧ−ｅＮＢ、５Ｇ−ＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インタフェースを介して１以上のＵＥにサービスを提供するように接続してもよい。
【００３６】
基地局は、以下の無線アクセス技術（ＲＡＴ）のうち少なくとも１つに従って、通信サービスを提供するように構成されてもよい。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）および／またはＬＴＥ−Ａ  Ｐｒｏが挙げられる。しかし、本出願の範囲は、上述のプロトコルに限定すべきではない。
【００３７】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１以上のＵＥにサービスを提供する（例えば、各セルは、ダウンリンクおよび任意でアップリンクパケット送信のために、その無線カバレッジ内の少なくとも１つのＵＥにダウンリンクおよび任意でアップリンクリソースをスケジューリングする）。基地局は、複数のセルを介して無線通信システム内の１以上のＵＥと通信してもよい。セルは、近接サービス（ＰｒｏＳｅ）をサポートするために、サイドリンク（ＳＬ）リソースを割り当ててもよい。各セルは、他のセルと重複するカバレージ領域を有してもよい。
【００３８】
上述のように、ＮＲのフレーム構造は、高信頼性、高データ速度、および低レイテンシ要件を満たしながら、拡張モバイルブロードバンド（ｅＭＢＢ）、大規模マシンタイプ通信（ｍＭＴＣ）、超信頼通信、および低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、およびサイクリックプレフィックス（ＣＰ）などのスケーラブルＯＦＤＭニューメロロジー（numerology）も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００３９】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００４０】
図１は、４Ｇ  ＬＴＥシステムにおけるキャリアアグリゲーションの有効化および無効化を示す図である。図１に示すように、ダイアグラム１００は、動作１１２、１１４、１１６、１１８、１２０、１２２、１２４、１２６、および１２８を含む。動作１１２において、ＵＥ１０２は、ＰＣｅｌｌ１０４を介して基地局との無線リソース制御（ＲＲＣ）接続を確立する。動作１１４において、ＵＥ１０２は、周波数間測定を実行し、測定構成に基づいて１以上の適格なセルを見つけ、ＰＣｅｌｌ１０４を介して基地局に測定レポートを送信する。動作１１６において、基地局は、ＰＣｅｌｌ１０４を介してＳＣｅｌｌＴｏＡｄｄＭｏｄＬｉｓｔ情報要素を含むメッセージをＵＥ１０２に送信し、これらのセルを、ＵＥ１０２のＳＣｅｌｌとして構成する。ＳＣｅｌｌＴｏＡｄｄＭｏｄＬｉｓｔ情報要素は、例えば、図２に示すように、ＳＣｅｌｌＩｎｄｅｘ、ＣｅｌｌＩｄｅｎｔｉｆｉｃａｔｉｏｎ、ＲａｄｉｏＲｅｓｏｕｒｃｅＣｏｎｆｉｇＣｏｍｍｏｎＳＣｅｌｌ、およびＲａｄｉｏＲｅｓｏｕｒｃｅＣｏｎｆｉｇＤｅｄｉｃａｔｅｄＳＣｅｌｌを含む。動作１１８において、基地局は、キャリアアグリゲーション伝送を開始することを決定する。動作１２０において、基地局は、ＰＣｅｌｌ１０４を介して、ＳＣｅｌｌアクティブ化媒体アクセス制御要素（ＭＡＣ−ＣＥ；Media Access Control - Control Element）をＵＥ１０２に送信し、ＭＡＣ−ＣＥによって設定されたＳＣｅｌｌを起動する。４Ｇ  ＬＴＥシステムでは、ＵＥ１０２が、サブフレーム＃ｎでＳＣｅｌｌアクティブ化ＭＡＣ−ＣＥを受信して、ＳＣｅｌｌ１０６をアクティブ化する場合、ＵＥ１０２は、ＳＣｅｌｌ１０６のＰＤＣＣＨの監視をサブフレーム＃ｎ＋８よりも早く開始し、ＳＣｅｌｌ１０６のＰＤＳＣＨの監視をサブフレーム＃ｎ＋２４または＃ｎ＋３４よりも遅れることなく開始することができる。
【００４１】
動作１２２において、ＵＥ１０２は、ＳＣｅｌｌアクティブ化応答メッセージをＰＣｅｌｌ１０４に送信する。動作１２４において、ＳＣｅｌｌ１０６は、アクティブ化後にデータの送信を開始する。動作１２６において、ＰＣｅｌｌ１０４は、ＭＡＣ−ＣＥを介してＵＥ１０２にＳＣｅｌｌアクティブ解除メッセージを送信する。動作１２８において、ＵＥ１０２は、ＳＣｅｌｌアクティブ解除メッセージを受信すると、またはＳＣｅｌｌアクティブ解除タイマーが終了した後に、ＳＣｅｌｌ１０６を非アクティブ化する。
【００４２】
ダイアグラム１００の動作が、次世代（例えば、５Ｇ  ＮＲ）無線通信システムで実行される場合、ＵＥ１０２は、ＳＣｅｌｌ１０６がアクティブ化された後に、ＳＣｅｌｌのためのビームアライメントを実行して、適格なビームを見つけなければならない。ＵＥ１０２は、ＵＥ１０２が受信した電源要件を満足する一対のＲＸビームおよびＴＸビームを見つけるまで、ＳＣｅｌｌ１０６から各ＴＸビームへのＲＸビーム走査を行う必要があるため、ビームアライメント処理は、重度のパワー消費およびレイテンシの増加を引き起こす。構成されたＳＣｅｌｌをアクティブ化するためのビームアライメントを実行するために、ＵＥ１０２はまた、ＳＣｅｌｌ１０６のすべてのＳＳブロックを監視し、ＵＥ１０２がＳＣｅｌｌアクティブ化ＭＡＣ−ＣＥを受信した後、キャリアアグリゲーション伝送のための適格なビームを見つける必要がある。このビーム走査プロシージャは、システムのパフォーマンスに必要なレイテンシおよび電力消耗を増大させる。ＳＣｅｌｌ１０６のビーム情報がＳＣｅｌｌのアクティブ化前に受信されたとしても、ビームアラインメントプロシージャが必要とされ、例えば、ＵＥのモビリティに起因して、レイテンシを増大させる。
【００４３】
図２は、４Ｇ  ＬＴＥシステムにおけるデュアルコネクティビティの有効化および無効化を示す図である。図２に示すように、ダイアグラム２００は、動作２１２、２１４、２１６、２１８、２２０、２２２、および２２４を含む。動作２１２において、ＵＥ２０２は、ＭＣＧ（Master Cell Group；マスタセルグループ）（例えば、ＭｅＮＢ２０４）とＲＲＣ接続を確立する。動作２１４において、ＵＥ２０２は、１以上の隣接セルの信号品質が認定されたときに、測定し、測定レポートをトリガする。動作２１６において、ＭｅＮＢ２０４は、デュアルコネクティビティを構成するために、セカンダリセルグループ（ＳＣＧ）追加要求をＳＣＧ（例えば、ＳｅＮＢ２０６を有する）に送信する。動作２１８において、ＳＣＧは（例えば、ＳｅＮＢ２０６を介して）ＭｅＮＢ２０４に追加要求アクノリッジメントを送信する。動作２２０において、ＭＣＧは（例えば、ＭｅＮＢ２０４を介して）ＵＥ２０２のＰＳＣｅｌｌＴｏＡｄｄＭｏｄ情報要素およびＳＣｅｌｌＴｏＡｄｄＭｏｄＬｉｓｔＳＣＧ情報要素を送信し、ＵＥ２０２のＳＣＧの、ＰＳＣｅｌｌおよびＳＣｅｌｌとしてこれらのセルを構成する。ＳＣｅｌｌＴｏＡｄｄＭｏｄＬｉｓｔＳＣＧ情報要素は、例えば、ＳＣｅｌｌＩｎｄｅｘ、ＣｅｌｌＩｄｅｎｔｉｆｉｃａｔｉｏｎ、ＲａｄｉｏＲｅｓｏｕｒｃｅＣｏｎｆｉｇＣｏｍｍｏｎＳＣｅｌｌ、ＲａｄｉｏＲｅｓｏｕｒｃｅＣｏｎｆｉｇＤｅｄｉｃａｔｅｄＳＣｅｌｌを含む。動作２２２において、ＭｅＮＢ２０４は、ＳｅＮＢ再構成完了メッセージをＳｅＮＢ２０６に送信する。動作２２４において、ＭｅＮＢ２０４がデュアルコネクティビティ伝送を開始することを決定すると、ＵＥ２０２は、シグナリング（例えば、ＳＣＧ追加のための再構成）に従って、ランダムアクセス（ＲＡＣＨ）プロシージャを実行し、ＰＳＣｅｌｌへの接続を確立する。ＳＣＧ追加のための再構成では、ＵＥ２０２は、専用ＲＡＣＨ構成によって示されるＲＡＣＨリソースを使用することによって、ＲＡＣＨプロシージャを実行することができる。専用ＲＡＣＨ構成が存在しない場合、ＵＥは、例えば、共通ＲＡＣＨ構成を使用するためにフォールバックすることができる。ＰＳＣｅｌｌをアクティブ化するために、ＵＥ２０２は、ビーム情報がＰＳＣｅｌｌＴｏＡｄｄＭｏｄ情報要素に含まれていた場合であっても、ビーム情報が最新でない可能性があるので、追加のレイテンシおよび電力消費を引き起こすビームアライメントプロシージャを実行する必要がある。
【００４４】
図３は、ビーム情報のないビームアラインメントプロシージャを示す。ダイアグラム３００に示すように、ＵＥ３０２は、ＤＬ伝送用に適格なビームを見つけるために、基地局３０８からのすべてのＳＳブロック（例えば、ＳＳバーストセット）のＴＸビーム走査に対して、ＲＸビーム走査を実行する必要がある。基地局３０８からの異なるＤＬ  ＴＸビームのＳＳブロックは、６４個まであり得るので、高い電力消費およびアクセスレイテンシをもたらす可能性がある。
【００４５】
図４は、本願の例示的な実施形態による、基地局がビーム情報を提供して、ＵＥが適格なビームを見つけるのを支援する、ビームアライメントプロシージャ示す。ダイアグラム４００に示すように、基地局４０８は、ビームアライメントの前に、適切なＤＬ  ＴＸビーム情報（例えば、ＳＳブロックインデックス）をＵＥ  ４０２に提供する。したがって、ＵＥ４０２は、基地局４０８によって指示されたＳＳブロックを監視する正確な時刻を知っており、例えば、ビームペアリンク（ＢＰＬ；Beam Pair Link）情報に基づいて、どのＤＬ  ＲＸビームを使用するかを暗黙的に知っている。
【００４６】
さらに、５Ｇ  ＮＲシステムの帯域幅部分（ＢＷＰ；Bandwidth Part）オペレーションに起因して、ＳＣｅｌｌの初期アクティブＤＬ  ＢＷＰは、ＵＥがビームアラインメントを実行するためのＳＳブロックを含まない可能性がある。また、ＳＣｅｌｌの初期アクティブＤＬ  ＢＷＰに含まれる期間チャンネル状態情報リファレンス信号（ＣＳＩ−ＲＳ；channel state information-reference signal）または追跡リファレンス信号（ＴＲＳ）の周期性は、レイテンシ要件を満たすには長すぎる可能性がある。
【００４７】
本出願の実施形態によれば、ダウンリンク（ＤＬ）ビームアライメントプロシージャは、基地局によって伝送される複数のリファレンス信号（ＲＳ）（例えば、同期信号ブロック（ＳＳブロック；Synchronization Signal block）またはＣＳＩ−ＲＳ）を監視することによって、ＵＥが少なくとも１つの適格なＤＬ  ＴＸビームおよびＤＬ  ＲＸビームを見つけるために使用される。
【００４８】
本願の実施形態は、セル間のビームレベル測定レポートを利用し、キャリアアグリゲーションまたはデュアルコネクティビティをトリガする前に、ＵＥビーム関連情報を通知し、それによって、キャリアアグリゲーションまたはデュアルコネクティビティ伝送のためのビームアラインメントプロシージャのオーバヘッドを節約する。
【００４９】
本願の種々の実施形態において、測定レポート構成は、ＵＥがビームレベル品質を測定し報告するために、ＳＳブロック（単数または複数）またはＣＳＩ−ＲＳリソースインデックス（単数または複数）のような、特定のリファレンス信号を含むことができる。
【００５０】
図５は、セルレベル測定レポートおよびビームレベル測定レポートの仕組みを示す図である。ビームレベルレポートは、ＲＳ品質がトリガされた条件を満たした、１以上の測定ビームが形成された場合に、測定レポートに含まれてもよい。ＵＥは、品質の順序によってビームを報告することができる。例えば、測定構成によれば、セルＡの品質が、対応するトリガ条件を満たした場合、測定レポートはトリガされ、基地局に送信される。イベントトリガされた測定レポートは、対応するビーム情報と共にセルＡのセル品質を含むことができる。例えば、セルＡのＳＳブロック２の品質は、レイヤ３のフィルタリング後に、構成された閾値（例えば、ＲＳＲＰ閾値またはＲＳＲＱ閾値）を上回る。セル品質およびビーム情報は、ＣＳＩ−ＲＳに基づいて導出されてもよい。したがって、測定レポートを受信すると、基地局は、どのＤＬ  ＴＸビームがＵＥに適格であるか（例えば、ＳＳブロック２）を知ることができる。その後、基地局は、このＤＬ  ＴＸビーム情報を利用して、ＳＣｅｌｌの第１のアクティブＤＬ  ＢＷＰにおいて、ＤＬ  ＴＸビームに関連付けられたＲＳのセットを推奨することができる。ＳＣｅｌｌのデフォルトＤＬ  ＢＷＰは、ＳＣｅｌｌの最初のアクティブＢＷＰであっても、ＳＣｅｌｌの最初のアクティブＢＷＰでなくてもよい（ｇＮＢの構成に依存する）ことに留意されたい。基地局は、ビームレベル測定レポートに基づいて、追加の推奨ＤＬ  ＴＸビームを推定することができることに留意されたい。例えば、ビームレベル測定レポートが、ＤＬ  ＴＸビーム２を表すＳＳブロック１のみを含む場合、基地局は、図６Ａに示されるように、ＤＬ  ＴＸビーム１の隣接ＤＬ  ＴＸビームに関連するＲＳを監視するようにＵＥに推奨することができる。別の場合では、基地局が図７Ｂに示されるように、ＤＬ  ＴＸビーム１と比較して、より粗いまたはより細かいビームに関連するＲＳのセットをＵＥに推奨することができる。ビームレベル測定レポートに含まれるＲＳが、ＳＣｅｌｌの最初のアクティブＤＬ  ＢＷＰを含まない場合、基地局は、測定レポートに含まれるＲＳ以外のＲＳをＵＥに推奨することができる。例えば、ＳＣｅｌｌの最初のアクティブＤＬ  ＢＷＰがＳＳブロックを含まない場合、基地局は、図６Ｂに示すように、測定レポートに含まれるＲＳと同様のビーム方向に適用される１以上のＣＳＩ−ＲＳリソースセットを推奨することができる。
【００５１】
ケース１におけるキャリアアグリゲーションについて、ケース１−１の下で、ＵＥが１以上のＳＣｅｌｌのビームレベル測定レポートを基地局に送信する場合、基地局は、ＰＣｅｌｌのＲＲＣ接続再構成メッセージ（RRC connection reconfiguration message）を介してＳＣｅｌｌ構成における追加のＳＣｅｌｌビーム情報を、ＵＥに通知することができる。ビーム情報は、ＳＳブロックインデックス、ＳＳブロックのアクチュアル伝送ビットマップ（例えば、SSB-ToMeasureビットマップ）、ＣＳＩ−ＲＳリソースインデックス、アンテナポート情報、または以前の測定レポートに基づいてＳＣｅｌｌの適格ビームを通知するためのＱＣＬ構成であってもよい。ＱＣＬ構成がＳＣｅｌｌ内にある場合、ＳＣｅｌｌがＰＣｅｌｌの同じＱＣＬ想定を使用することを示すのは、１ビットのみであってもよいことに留意されたい。その後、基地局は、ＰＣｅｌｌのＭＡＣ−ＣＥを介してＳＣｅｌｌアクティブ化メッセージを送信することができる。ＵＥが、ＳＣｅｌｌをアクティブ化するためのＭＡＣ−ＣＥを正常に受信した場合、ＵＥは、ＰＣｅｌｌを介して基地局にアクノリッジメントメッセージを送信し、ＳＣｅｌｌ内のスケジューリング情報を監視する。
【００５２】
従って、ＵＥは、ＭＡＣ−ＣＥにおいてＳＣｅｌｌアクティブ化メッセージ受信後のさらなるビームアライメントを防止するために、ＲＲＣ接続再構成メッセージに含まれるビーム情報を利用することができる。
【００５３】
ＵＥがＳＣｅｌｌアクティブ化ＭＡＣ−ＣＥに応答した後、ＵＥは、ＳＣｅｌｌにおいてデータチャネルまたは制御チャネルを受信しようと試みることができる。
【００５４】
ビーム情報のないＳＣｅｌｌアクティブ化の場合、ＵＥは、ＳＣｅｌｌ内のすべてのビーム管理ＲＳ（例えば、ＳＳブロックまたはＣＳＩ−ＲＳ）を監視することによってビームアラインメントを実行して、受信のための適格なビームを見つける必要がある。
【００５５】
ビーム情報を用いたＳＣｅｌｌアクティブ化の場合（例えば、ＵＥがＳＣｅｌｌアクティブ化の前に基地局にビームレベル測定レポートを送信したとき）、ＵＥは、ＳＣｅｌｌ構成に基づいてビーム情報を取得することができる。したがって、ＵＥは、構成されたビーム管理ＲＳを監視するだけで、上位レイヤ（例えば、ＭＡＣ−ＣＥまたはＲＲＣ）からのビーム情報を利用して、Ｌ１ビームアラインメントの間のリソースを節約することができる。さらに、ＵＥが、構成されたビーム情報に基づいてＳＣｅｌｌ内のスケジューリング情報を受信することに失敗した場合、ＵＥは、ＳＣｅｌｌ内のスケジューリング情報の監視中に、測定された結果に基づいてＳＣｅｌｌの新しい測定レポートを送信することができる。この新しい測定レポートは、セルレベル測定レポートのみを含むことができるか、またはセルレベル測定レポートとビームレベル測定レポートの両方を含むことができる。ＵＥからのビームレベル測定レポートがない場合、基地局は、ＳＣｅｌｌ構成にビーム情報を含まない。ＵＥは、スケジューリング情報を監視するために、ＳＣｅｌｌにおけるＳＳブロック伝送の全ての可能な位置を監視する。
【００５６】
ケース１−２−１では、ビーム情報は、ＲＲＣシグナリングおよびＭＡＣ−ＣＥを使用することによる、２段階表示を含むことができる。ＳＣｅｌｌアクティブ化を含むＭＡＣ−ＣＥに加えて、ケース１−２−１は、ビーム関連情報を含む新しいＭＡＣ−ＣＥも含む。
【００５７】
ビーム情報は、ＳＳブロックインデックス、ＳＳアクチュアル伝送ビットマップ、ＣＳＩ−ＲＳリソースインデックス、アンテナポート情報、または以前の測定レポートに基づいてＳＣｅｌｌの適格ビームを通知するためのＱＣＬ表示を含むことができる。ＱＣＬ表示の場合、ＵＥは、ＳＣｅｌｌがＰＣｅｌｌと同じＱＣＬ構成を使用すると仮定することができる。第１段階はＲＲＣ接続再構成メッセージに含まれる詳細なビーム情報（例えば、ＳＳブロックの実際の伝送ビットマップまたはＱＣＬ構成）を含み、第２段階はＭＡＣ−ＣＥに含まれる特定のビーム表示（例えば、ＳＳブロックインデックスまたはＱＣＬインディケーション）である。ＱＣＬ表示の場合、ＵＥは、ＳＣｅｌｌがＰＣｅｌｌと同じＱＣＬ構成を使用すると仮定することができる。第１段階は、ＲＲＣ接続再構成メッセージに含まれる詳細なビーム情報（例えば、ＳＳブロックの実際の伝送ビットマップまたはＱＣＬ構成）を含み、第２段階は、ＭＡＣ−ＣＥに含まれる特定のビーム表示（例えば、ＳＳブロックインデックスまたはＱＣＬ表示）である。ＭＡＣ−ＣＥは、図７Ａ、図７Ｂ、図７Ｃ、および図７Ｂに示すように、二項演算を用いてＵＥが監視／測定するためのＲＲＣシグナリングにおける詳細なＲＳビットマップ以外の固有のＲＳインデックスを示すことができる。図７Ａは、基地局が１つのビームのみを示す場合である。図７Ｂは、基地局がＵＥのための３つの隣接ビームを示す場合である。図７Ｃは、測定されたＲＳを含むＱＣＬ構成によるビーム表示の場合である。この場合、ＵＥは、ＱＣＬ構成に含まれるＲＳのオーダに従い、ＭＡＣ−ＣＥに基づいて、対応するＲＳを見つける。図７Ｄは、多数の測定されたＲＳを含むＱＣＬ構成によるビームセット指示の場合である。この場合、ＵＥは、ＱＣＬ構成に含まれるＲＳの順序に従い、ＲＲＣメッセージまたはＭＡＣ−ＣＥを介して構成されたＲＳサブグループ長によって、ＭＡＣ−ＣＥに基づいて対応するＲＳを見つける。サブグループビーム表示はまた、ＭＡＣ−ＣＥと実際のＳＳブロック伝送ビットマップの両方によって示される、ＵＥがそれらのビームを監視／測定する実際のＳＳブロック伝送ビットマップのために使用することができる。ＭＡＣ−ＣＥのサブヘッダには、ＳＣｅｌｌアクティブ化ＭＡＣ−ＣＥに含まれる表示ビーム数に関する情報をＵＥが知るためのＭＡＣ−ＣＥの長さが含まれている可能性があることに留意されたい。ＵＥが、構成されたビーム情報に基づいてＳＣｅｌｌ内のスケジューリング情報を受信しない場合、ＵＥはＳＣｅｌｌ内のスケジューリング情報の監視中に、測定された結果に基づいてＳＣｅｌｌの新しい測定レポートを送信することができる。新しい測定レポートは、ＲＲＣ接続再構成に含まれるＳＳブロックの実際の送信ビットマップに基づくことができることに留意されたい。新しい測定レポートは、セルレベル測定レポートのみ、またはセルレベル測定レポートとビームレベル測定レポートの両方を含むことができる。セルレベル測定レポートのみが存在する場合、基地局は、ＳＣｅｌｌ構成にビーム情報を含まなくてもよい。ＵＥは、データチャネルまたは制御チャネルを受信するために、ＳＣｅｌｌ内のＳＳブロック伝送の全ての可能な位置を監視／測定する必要がある。
【００５８】
ＳＣｅｌｌアクティブ化ＭＡＣ−ＣＥが同時に複数のＳＣｅｌｌをアクティブ化する場合、表示されたビーム情報の数は、各ＳＣｅｌｌに対して事前に規定されるか、または同じ数として構成されてもよい。例えば、ＭＡＣ−ＣＥにおけるビーム情報に６４個の情報ビットが使用されている場合、１０個のＳＣｅｌｌは、同じＳＣｅｌｌアクティブ化ＭＡＣ−ＣＥによってアクティブ化される。その後、８個のＳＣｅｌｌのみが、ＳＣｅｌｌ構成のＭＡＣ−ＣＥにおけるビーム情報によって構成された場合、各ＳＣｅｌｌは、ＭＡＣ−ＣＥ内にビーム情報を報告するための８情報ビットを有することができる。複数のＳＣｅｌｌアクティブ化の下での一実施形態では、ビームアライメントのためのビーム情報を有するいくつかのアクティブ化されたＳＣｅｌｌと、ビームアライメントのためのビーム情報を有さないいくつかのアクティブ化されたＳＣｅｌｌとがある場合、２つの異なるＭＡＣ−ＣＥが利用される。一方はビーム情報を有するアクティブ化されたＳＣｅｌｌのためのものであり、他方はビーム情報を有さないアクティブ化されたＳＣｅｌｌのためのものである。ビーム情報を有するＳＣｅｌｌアクティブ化ＭＡＣ−ＣＥのためのＭＡＣ−ＣＥのＬＣＩＤは、ビーム情報を有さないＳＣｅｌｌアクティブ化ＭＡＣ−ＣＥのためのＭＡＣ−ＣＥの対応するＬＣＩＤとは異なる。
【００５９】
ケース１−２−２では、同じＬＣＩＤを使用することができるが、複数のＳＣｅｌｌアクティブ化ケースのＭＡＣ−ＣＥに含まれるリザーブビット（Reserve bit）については異なる値を設定することができる。例えば、リザーブビットが１である場合、ＭＡＣ−ＣＥは、１以上のＳＣｅｌｌに対するビーム情報を含む。一方、リザーブビットが０の場合、ＭＡＣ−ＣＥにはビーム情報は含まれない。
【００６０】
ケース１−３では、基地局がＲＲＣシグナリングにビーム関連情報を有することなく、ＭＡＣ−ＣＥビットマップを使用して、どのＳＳブロックがビームアラインメントに適しているかを示すことができる。例えば、「１」は、ＳＳブロックが実際に伝送され、その信号強度が十分に強い（例えば、所定の閾値よりも大きい）ことを示し、「０」は、ＳＳブロックが伝送されていないか、または検出された信号強度が良好でない（例えば、別の所定の閾値よりも小さい）ことを示し得る。ビットマップ長は、ＳＳブロックの実際の伝送ビットマップのビットマップ長と等しくてもよく、ＳＳブロックの実際の伝送ビットマップは、ＲＲＣシグナリングにおけるような詳細なビットマップ、または放送シグナリングにおいて伝送されるようなグループビットマップであってもよいことに留意されたい。ＵＥがビットマップを受信する場合、特定のＳＳブロック（ビットマップにおいて「１」で割り当てられる）へのビームアライメントの優先順位付けは、ＵＥの実行までである。ＵＥは、ケース１−２で説明したように、ＭＡＣ−ＣＥまたは予約ビット（reserved bit）によって、ビーム情報を持つＭＡＣ−ＣＥとビーム情報を持たないＭＡＣ−ＣＥとを区別し得ることに留意されたい。
【００６１】
ケース１−４では、ＳＣｅｌｌアクティブ化ＭＡＣ−ＣＥはＤＣＩによって伝送され、ビーム情報はＤＣＩおよびＲＲＣシグナリングによって２段階表示される。ケース１−４において、ＵＥは、ＰＣｅｌｌでＰＤＣＣＨのＤＣＩフォーマットを監視し、ＳＣｅｌｌ  ＩＤおよびＳＣｅｌｌのビーム情報を取得する。ビーム情報は、ＱＣＬ構成のうちの１つを示すことができるインデックス（例えば、伝送構成表示（ＴＣＩ；Transmission Configuration Indication））を含むことができる。次いで、ＴＣＩのビット数は、ＲＲＣのＱＣＬ構成に含まれるビームの数に従って、ＵＥによって暗黙的に知られる。例えば、ＲＲＣのＱＣＬ構成におけるビームの数が８である場合、ＵＥは、ＤＣＩに３つのＴＣＩビットが存在することを知る。ＱＣＬ構成は、ＲＲＣ接続再構成におけるＳＣｅｌｌ構成に含まれる。ＳＣｅｌｌのスケジューリングのためにＤＣＩに含まれるＴＣＩが存在しているにもかかわらず、ＵＥがＳＣｅｌｌ構成においてＱＣＬ構成を見つけない場合、ＵＥは、ＳＣｅｌｌのビーム情報のためのＰＣｅｌｌのＱＣＬ想定を再使用することができることに留意されたい。ＵＥが、構成されたビーム情報に基づいてＳＣｅｌｌにおいてスケジューリング情報を受信しない場合、ＵＥは、以前の説明に続いて、新しい測定レポートを送信することができる。ＳＣｅｌｌ構成に含まれるビーム情報が存在する場合、ＵＥは、ビーム情報と共にＳＣｅｌｌアクティブ化を送信するために使用される追加のＤＣＩフォーマットを監視することができることに留意されたい。
【００６２】
デュアルコネクティビティの場合、ＵＥは、ＳＣＧ内のセルのビームレベル測定レポートをＭＣＧに送信すると、基地局は、ＭＣＧを介してＲＲＣ接続再構成メッセージに含まれるＳＣＧ構成を介してＳＣＧ内のセルの追加ビーム情報をＵＥに通知することができる。ビーム情報は、セルごとに構成され得るＳＳブロックの実際の伝送ビットマップであってもよい。例えば、ＳＣＧ内の各セルは、ＳＣＧ構成に含まれる構成されたＳＳブロックの実際の伝送ビットマップを使用することができる。ＳＣＧ構成によって構成され得るセルは、ＰＳＣｅｌｌおよびＳＣｅｌｌの両方を含み得ることに留意されたい。ＭＣＧおよびＳＣＧにおけるＳＣｅｌｌアクティブ化オペレーションは、キャリアアグリゲーションケースにおけるオペレーションと同じプロシージャに従うので、キャリアアグリゲーションにおける同様のプロシージャが適用され得る。ＲＡＣＨプロシージャは、ＰＳＣｅｌｌアクティブ化において必須であることに留意されたい。ビーム情報の支援なしでは、ＵＥは、ＭＳＧ１を送信する前に全てのＳＳブロックを監視／測定して、適格なビームを見つける必要がある。ＳＣＧ構成に含まれるビットマップが存在しない場合、ＵＥは、図３に示されるように、ＳＳブロック伝送の全ての可能性のある位置を監視／測定して、ＲＡＣＨプロシージャのための適格なビームを見つける必要がある。一方、ＳＣＧ構成に含まれるＳＳブロックの実際の伝送ビットマップがある場合、ＵＥは、図４に示されるように、ビームアライメントプロシージャのために使用されるリソースおよび時間を節約することができる。
【００６３】
上述のキャリアアグリゲーションのためのケース１では、ビーム情報は、ＲＲＣ接続再構成内にあるだけである。ＵＥは、セル測定を実行し、測定レポートが所定の閾値を上回る場合、ＰＣｅｌｌを介して基地局にビームレベル測定レポートを送信することができる。基地局は、１以上のセル（例えば、ＳＣｅｌｌ）のビームレベル測定レポートを受信すると、図８に示されるように、ＳＣｅｌｌ構成（ＳＣｅｌｌＣｏｎｆｉｇ）８００のＲａｄｉｏＲｅｓｏｕｒｃｅＣｏｎｆｉｇＣｏｍｍｏｎＳＣｅｌｌ（またはＳｅｒｖｉｎｇＣｅｌｌＣｏｎｆｉｇ）中にＳＳブロックの実際の伝送テーブルのビーム情報を含むことができる。ビーム情報は、ＲａｄｉｏＲｅｓｏｕｒｃｅＣｏｎｆｉｇＣｏｍｍｏｎＳＣｅｌｌまたはＲａｄｉｏＲｅｓｏｕｒｃｅＣｏｎｆｉｇＤｅｄｉｃａｔｅｄＳＣｅｌｌのようなＳＣｅｌｌ構成の中の任意のサブ情報要素中に含まれてもよいことに留意されたい。ビーム情報は、ＳＳブロックインデックス、ＳＳブロックの実際の伝送ビットマップ（例えば、６４ビット）、ＣＳＩ−ＲＳリソースインデックス、アンテナポート情報、またはＱＣＬ表示であってもよい。一方、基地局がＳＣｅｌｌのセルレベル測定レポートのみを受信する場合、ＳＣｅｌｌ構成はビーム情報を含まない。ＵＥがＰＣｅｌｌのＲＲＣシグナリングを介してＳＣｅｌｌ構成を受信した後、基地局は、ＰＣｅｌｌにおいてＳＣｅｌｌアクティブ化ＭＡＣ−ＣＥを送信し、ＵＥの応答を監視／測定して、ＳＣｅｌｌ伝送をトリガすることができる。ＵＥは、ＵＥがＳＣｅｌｌアクティブ化メッセージを正常に受信した場合、アクノリッジメント（ＡＣＫ）を返信することができる。ＳＣｅｌｌアクティブ化ＭＡＣ−ＣＥのレスポンスがＡＣＫメッセージである場合、基地局は、ＵＥのためのＳＣｅｌｌにおけるデータ伝送をスケジューリングすることができる。ＳＣｅｌｌ構成がビーム情報を含まないケースでは、ＵＥがＳＣｅｌｌ内のすべてのビーム管理ＲＳ（例えば、ＳＳブロックまたはＣＳＩ−ＲＳ）を監視することによってビームアライメント実行し、受信データチャネルまたは制御チャネルのための適格なＤＬ  ＴＸビームおよびＤＬ  ＲＸビームを見つけることができる。一方、ＳＣｅｌｌ構成がビーム情報を含む場合、ＵＥは、ビームアライメントいくつかのリソースを節約することができる。例えば、ＵＥがビットマップを受信する場合、ＵＥは、ビームアライメントのために最初の８つのＳＳブロックを監視／測定する必要があるだけである。
【００６４】
ＵＥがＳＣｅｌｌでデータまたは制御情報を受信しない場合、ＵＥは、ＳＣｅｌｌで測定を実行し、ＰＣｅｌｌを介して基地局に測定レポートを送信することができる。測定レポートは、セルレベルまたはビームレベルであってもよい。
【００６５】
基地局は、ＳＣｅｌｌの測定レポートを受信すると、ビームレベル測定結果がＳＣｅｌｌ伝送に十分良好であれば、再度ＳＣｅｌｌ構成を送信してビーム情報更新することができる。測定結果が予め構成されたＳＣｅｌｌアクティブ化の閾値を下回る場合、基地局は、ＲＲＣ接続再構成を介してＳＣｅｌｌの修正またはＳＣｅｌｌの解放を送信することができる。
【００６６】
上述のケース１−２では、ビーム情報は、ＲＲＣ接続再構成およびＭＡＣ−ＣＥである。ＵＥは、セル測定を実行し、測定結果が所定の閾値を超える場合、ＰＣｅｌｌを介して基地局にビームレベル測定レポートを送信することができる。基地局は、１以上のセルのビームレベル測定レポートを受信すると、図８に示すように、ＳＣｅｌｌ構成（ＳＣｅｌｌＣｏｎｆｉｇ）８００のＲａｄｉｏＲｅｓｏｕｒｃｅＣｏｎｆｉｇＣｏｍｍｏｎＳＣｅｌｌ（またはＳｅｒｖｉｎｇＣｅｌｌＣｏｎｆｉｇ）中にＳＳブロックの実際の伝送テーブルのビーム情報を追加することができる。ビーム情報は、ＲａｄｉｏＲｅｓｏｕｒｃｅＣｏｎｆｉｇＣｏｍｍｏｎＳＣｅｌｌまたはＲａｄｉｏＲｅｓｏｕｒｃｅＣｏｎｆｉｇＤｅｄｉｃａｔｅｄＳＣｅｌｌのように、ＳＣｅｌｌ構成の中の任意のサブ情報要素に含まれることがあることに留意されたい。ビーム情報は、ＳＳブロックインデックス、ＳＳブロックの実際の伝送ビットマップ、ＣＳＩ−ＲＳリソースインデックス、アンテナポート情報、またはＱＣＬテーブルであってもよい。一方、基地局がＳＣｅｌｌのセルレベル測定レポートのみを受信する場合、ＳＣｅｌｌ構成はビーム情報を含まない。ＵＥがＰＣｅｌｌのＲＲＣシグナリングを介してＳＣｅｌｌ構成を受信した後、基地局は、図９に示すように、ＳＣｅｌｌアクティブ化ＭＡＣ−ＣＥおよびＰＣｅｌｌ内のＭＡＣ−ＣＥを介して特定のビーム情報を送信することができる。その後、基地局は、ＵＥの応答を監視し、ＳＣｅｌｌ伝送をトリガする。ＵＥは、ＵＥがＳＣｅｌｌアクティブ化ＭＡＣ−ＣＥを正常に受信した場合、ＡＣＫを応答することができる。ＳＣｅｌｌアクティブ化ＭＡＣ−ＣＥの応答がＡＣＫメッセージの場合、基地局は、ＰＣｅｌｌとＳＣｅｌｌの両方でＳＣｅｌｌ伝送を開始できる。ＳＣｅｌｌ構成がビーム情報を含まないケースでは、ＵＥは、ＳＣｅｌｌ内の全てのビーム管理ＲＳ（例えば、ＳＳブロックまたはＣＳＩ−ＲＳ）を監視／測定することによってビームアライメント実行して、受信データチャネルまたは制御チャネルのための適格なＤＬ  ＴＸビームおよびＤＬ  ＲＸビームを見つけることができる。一方、ＳＣｅｌｌ構成がビーム情報を含む場合、ＵＥは、ビームアライメントのリソースを節約することができる。例えば、ＵＥがビットマップおよびビーム情報を受信する場合、ＵＥは、ビームアライメントのために例えば、ＳＳブロック＃２を監視／測定するだけでよいかもしれない。ＵＥがＳＣｅｌｌ内でデータまたは制御情報を受信しない場合、ＵＥは、ＳＣｅｌｌ内で測定を実行し、ＰＣｅｌｌを介して基地局に測定レポートを送信することができる。測定レポートは、セルレベルまたはビームレベルであってもよい。基地局は、ＳＣｅｌｌの測定レポートを受信した後、ビームレベル測定結果がＳＣｅｌｌ伝送に十分良好である場合、ＳＣｅｌｌ構成を再度送信して、ビーム情報を更新することができる。測定結果がＳＣｅｌｌ伝送の閾値を下回る場合、基地局は、ＲＲＣ接続再構成メッセージを介してＳＣｅｌｌの修正またはＳＣｅｌｌの解放を送信することができる。
【００６７】
前述のケース１−３では、ビーム情報はＭＡＣ−ＣＥ中の情報である。ＵＥは、セル測定を実行し、測定結果が所定の閾値を超える場合、ＰＣｅｌｌを介して基地局にビームレベル測定レポートを送信することができる。基地局がセルのビームレベル測定レポートを受信する場合、基地局は、図１０に示すように、ＭＡＣ−ＣＥ中にＳＳブロックの実際の伝送ビットマップテーブルのビーム情報を追加し得る。ビーム情報は、ＳＳブロックの実際の伝送ビットマップであってもよく、当該ビットマップは、詳細なビットマップまたはグループビットマップであってもよいことに留意されたい。詳細ビットマップのビーム情報ビットの長さは、伝送されたＳＳブロックの数と同じである。例えば、ビーム情報用のＭＡＣ‐ＣＥは６４ビットを含み、各ビットはインデックスの順番によって対応する伝送ＳＳブロックを表す。ＵＥがＰＣｅｌｌのＲＲＣシグナリングを介してＳＣｅｌｌ構成を受信した後、基地局は、図１０に示されるように、ＳＣｅｌｌをアクティブ化し、ＰＣｅｌｌ内でＭＡＣ−ＣＥを介して特定のビーム情報を提供することができる。その後、基地局は、ＵＥの応答を監視して、ＳＣｅｌｌ伝送のスケジューリングをトリガすることができる。ＵＥは、ＵＥがＳＣｅｌｌアクティブ化ＭＡＣ−ＣＥを正常に受信した場合、ＡＣＫに応答することができる。ＳＣｅｌｌアクティブ化ＭＡＣ−ＣＥの応答がＡＣＫの場合、基地局は、ＰＣｅｌｌとＳＣｅｌｌの両方でＳＣｅｌｌ伝送を開始することができる。ＳＣｅｌｌ構成がビーム情報を含まないケースでは、ＵＥがＳＣｅｌｌ内の全てのビーム管理ＲＳ（例えば、ＳＳブロックまたはＣＳＩ−ＲＳ）を監視／測定することによってビームアライメント実行して、受信データチャネルまたは制御チャネルのための適格なＤＬ  ＴＸビームおよびＤＬ  ＲＸビームを見つけることができる。一方、ＳＣｅｌｌ構成がビーム情報を含む場合、ＵＥは、ビームアライメントのリソースを節約することができる。例えば、図１０に示すように、ＵＥがビットマップおよびビーム情報を受信する場合、ＵＥは、ビームアライメントのためにＳＳブロック＃０〜＃９を監視／測定するだけでよい。ＵＥがＳＣｅｌｌ内でデータまたは制御を受信することに失敗した場合、ＵＥは、ＳＣｅｌｌ内で測定を実行し、ＰＣｅｌｌを介して測定レポートを基地局に送信することができる。測定レポートは、セルレベルまたはビームレベルであってもよい。基地局は、ＳＣｅｌｌの測定報レポートを受信した後、ビームレベル測定結果がＳＣｅｌｌ伝送に十分良好である場合、ＳＣｅｌｌ構成を再度送信して、ビーム情報を更新することができる。測定結果がＳＣｅｌｌ伝送の閾値を下回る場合、基地局は、ＲＲＣ接続再構成を介してＳＣｅｌｌの修正またはＳＣｅｌｌの解放を送信することができる。
【００６８】
上述したケース１−４では、ビーム情報は、ＤＣＩおよびＲＲＣ信号である。ＵＥは、セル測定を実行し、測定結果が所定の閾値を上回る場合、ＰＣｅｌｌを介して、基地局にビームレベル測定レポートを送信することができる。基地局は、１以上のセルのビームレベル測定レポートを受信する場合、図１１に示すように、ＳＣｅｌｌ構成のＲａｄｉｏＲｅｓｏｕｒｃｅＣｏｎｆｉｇＣｏｍｍｏｎＳＣｅｌｌにＱＣＬ構成のビーム情報を追加することができる。ビーム情報は、ＲａｄｉｏＲｅｓｏｕｒｃｅＣｏｎｆｉｇＣｏｍｍｏｎＳＣｅｌｌまたはＲａｄｉｏＲｅｓｏｕｒｃｅＣｏｎｆｉｇＤｅｄｉｃａｔｅｄＳＣｅｌｌなどのＳＣｅｌｌ構成の任意のサブ情報要素に含まれ得ることに留意されたい。ビーム情報は、ＳＳブロックインデックス、ＳＳブロックの実際の伝送ビットマップ、ＣＳＩ−ＲＳリソースインデックス、アンテナポート情報、またはＱＣＬテーブルであってもよい。一方、基地局がＳＣｅｌｌのセルレベル測定レポートのみを受信する場合、ＳＣｅｌｌ構成はビーム情報を含まない場合がある。ＵＥがＰＣｅｌｌのＲＲＣシグナリングを介してＳＣｅｌｌ構成を受信した後、基地局は、図１２に示すように、ＰＣｅｌｌ内のＤＣＩを通してＳＣｅｌｌアクティブ化コマンドおよびＴＣＩを送信することができる。例えば、ＵＥが図１１ＱＣＬ構成および図１２に示すようなＴＣＩを受信した場合、ＵＥは、ＳＣｅｌｌ＃２内のＣＳＩ−ＲＳリソース＃１のみを監視／測定することができる。ＵＥがＳＣｅｌｌ内のデータチャネルまたは制御チャネルを正常に受信した場合、ＵＥは、ＡＣＫを応答することができる。ＵＥがＳＣｅｌｌ内でデータまたは制御を受信しない場合、ＵＥは、ＳＣｅｌｌ内で測定を実行し、ＰＣｅｌｌを介して基地局に測定レポートを送信することができる。測定レポートは、セルレベルまたはビームレベルであってもよい。基地局は、ＳＣｅｌｌの測定レポートを受信した後、ビームレベル測定結果がＳＣｅｌｌ伝送に十分良好である場合、ＳＣｅｌｌ構成を再度送信して、ビーム情報更新することができる。測定結果がＳＣｅｌｌ伝送の閾値を下回る場合、基地局は、ＲＲＣ接続再構成を介してＳＣｅｌｌの修正またはＳＣｅｌｌの解放を伝送することができる。
【００６９】
ケース２におけるデュアルコネクティブの場合、ビーム情報はＲＲＣ接続再構成のみである。ＵＥは、ＳＣＧでセルに対する測定を遂行し、測定結果が閾値を超える場合、ビームレベル測定レポートをＭＣＧに送信することができる。ＭＣＧがＳＣＧのビームレベル測定レポートを受信する場合、基地局は、図１３に示すようにＳＣＧ構成１３００にビーム情報を追加することができる。ビーム情報は、ＰＳＣｅｌｌ構成およびＳＣｅｌｌ構成の両方に含まれ得ることに留意されたい。ビーム情報は、ＳＳブロックの実際の伝送ビットマップであってもよい。一方、基地局がＳＣＧのセルレベル測定レポートのみを受信する場合、ＳＣＧ構成はビーム情報を含まなくてもよい。ＵＥがＳＣＧ構成を受信した後、ＵＥは、ＳＣＧのＰＳＣｅｌｌにおける初期アクセスのためにＲＡＣＨプロシージャを開始することができる。ＰＳＣｅｌｌ構成がビーム情報を含まない場合、ＵＥは、異なるＤＬ  ＲＸビームを有する全てのＳＳブロックを監視／測定して、ＲＡＣＨプロシージャを開始する前にビームアライメント実行する必要があり得る。一方、ＰＳＣｅｌｌ構成にビーム情報が存在する場合、ＵＥは、ビームアライメントプロシージャのリソースを節約することができる。例えば、ＵＥが図１０に示すようなビットマップを受信する場合、ＵＥは、ビームアライメントのために最初の８つのＳＳブロックを監視／測定するだけでよい。適格なビームを見つけた後、ＵＥは、ＲＡＣＨ手順を実行して、ＳＣＧのＰＳＣｅｌｌにアクセスすることができる。ＵＥがＰＳＣｅｌｌにアクセスすることに失敗した場合、ＵＥは、ＰＳＣｅｌｌ内のセルの測定を実行し、ＭＣＧに測定レポートを送信することができる。測定レポートは、セルレベルまたはビームレベルであってもよい。ＭＣＧがＰＳＣｅｌｌの測定レポートを受信した後、基地局は、ビームレベル測定レポートがＳＣｅｌｌ伝送に十分良好である場合、ＰＳＣｅｌｌ構成を再び送信して、ビーム情報を更新することができる。測定結果がＳＣｅｌｌ伝送の閾値を下回る場合、基地局は、ＲＲＣ接続再構成を介してＰＳＣｅｌｌ再構成を実行することができる。
【００７０】
図１４Ａは、本願の例示的な実施形態による、ＵＥのための方法のフローチャートである。図１４Ａでは、フローチャート１４２０は、動作１４２２、１４２４、および１４２６を含む。動作１４２２において、ＵＥは、ＵＥの伝送回路によって、ＳＣｅｌｌのビーム関連測定値を有する測定レポートをＰＣｅｌｌに提供することができる。動作１４２４において、ＵＥは、受信回路を介して、ＰＣｅｌｌからＳＳブロックビットマップを受信することができる。ＳＳブロックビットマップは、１以上のＳＳブロックインデックスに対応する１以上のＳＳブロックビットを有する。動作１４２４において、ＵＥは、受信回路を介して、ＳＳブロックビットマップに基づいてＳＣｅｌｌからの１以上のＳＳブロックを監視／測定することができる。ビットマップの例を図８または図１３に示す。「１」である１以上のＳＳブロックビットは、対応する１以上のＳＳブロックがＵＥによって測定されることを示している。一方、「０」である１以上のＳＳブロックビットは、対応する１以上のＳＳブロックがＵＥによって測定されないことを示すことに留意されたい。
【００７１】
図１４Ｂは、本願の例示的な実施形態による、基地局のための方法のフローチャートである。図１４Ｂでは、フローチャート１４４０は、動作１４４２および１４４４を含む。動作１４４２において、基地局は、基地局の受信回路を通して、ＵＥからのＳｃｅｌｌのビーム関連測定値を有する測定レポートを受信することができる。動作１４４２において、基地局は、基地局の伝送回路を通して、ＰＣｅｌｌからＵＥにＳＳブロックビットマップを提供することができる。ＳＳブロックビットマップは、１以上のＳＳブロックインデックスに対応する１以上のＳＳブロックビットを有している。ＳＳブロックビットマップは、ＲＲＣシグナリングを介してＵＥに伝送される。ビットマップの例を、図８または図１３に示す。「１」である１以上のＳＳブロックビットは、対応する１以上のＳＳブロックがＵＥによって測定されることを示している。一方、「０」である１以上のＳＳブロックビットは、対応する１以上のＳＳブロックがＵＥによって測定されないことを示すことに留意されたい。
【００７２】
図１５は、本願の様々な態様に係る、無線通信のためのノードを示すブロック図である。図１５に示すように、ノード１５００は、トランシーバ１５２０、プロセッサ１５２６、メモリ１５２８、ひとつまたは複数の表示コンポーネント１５３４、および少なくとも一つのアンテナ１５３６を備える。ノード１５００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図１５には明示的に示されていない）を含み得る。これらの構成要素のそれぞれは、１以上のバス１５４０を介して、直接または間接的に、互いに通信してもよい。
【００７３】
送信機１５２２および受信機１５２４を備えるトランシーバ１５２０は、時間および／または周波数リソース分割情報を送信および／または受信するように構成され得る。いくつかの実施形態では、トランシーバ１５２０は、使用可能、使用不可能、および柔軟に使用可能なサブフレームおよびスロットフォーマットを含むが、これらに限定されない、様々なタイプのサブフレームおよびスロットで送信するように構成され得る。トランシーバ１５２０は、データおよび制御チャネルを受信するように構成され得る。
【００７４】
ノード１５００は、様々なコンピュータ可読媒体を備えることができる。コンピュータ可読媒体は、ノード１５００によってアクセスされ得る任意の利用可能な媒体であって、揮発性媒体および不揮発性媒体の両方を含んでいてもよいし、取り外し可能な媒体および取り外し不可能な媒体の両方を含んでいてもよい。例えば、これには限定されないが、コンピュータ可読媒体は、コンピュータ記憶媒体、および、通信媒体を含んでいてもよい。コンピュータ記憶媒体は、コンピュータが読み取り可能な情報を記憶するための任意の方法または技術において導入されている媒体である、揮発性媒体および不揮発性媒体の両方を含んでいてもよいし、取り外し可能な媒体および取り外し不可能な媒体の両方を含んでいてもよい。
【００７５】
コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。「変調データ信号」という用語は、信号内の情報を符号化するような方法で設定または変更された１以上の特性を有する信号を意味する。例えば、これに限定されないが、通信媒体は、有線ネットワーク、直接有線接続のような有線媒体、ならびに、音響、ＲＦ、赤外線およびその他の無線媒体などの無線媒体を含んでもよい。上記のいずれの組合せもコンピュータ可読媒体の範囲内に含められるべきである。
【００７６】
メモリ１５２８は、揮発性および／または不揮発性メモリの形態のコンピュータ記憶媒体を含むことができる。メモリ１５２８は、取り外し可能、取り外し不能、またはそれらの組み合わせであってもよい。例示的なメモリは、ソリッドステートメモリ、ハードドライブ、光ディスクドライブなどを含む。図１５に示すように、メモリ１５２８は、コンピュータ可読コンピュータ実行可能命令１５３２（例えば、ソフトウェアコード）を格納してもよい。命令１５３２は、実行されると、プロセッサ１５２６に、例えば図１〜図１４Ｂを参照してここで説明された様々な機能を実行させるように構成されている。あるいは、命令１５３２は、プロセッサ１５２６によって直接実行可能ではなく、ノード１５００に（例えば、コンパイルされ実行されるときに）ここで説明される様々な機能を実行させるように構成されてもよい。
【００７７】
プロセッサ１５２６は、インテリジェントハードウェアデバイス、例えば、中央処理装置（ＣＰＵ）、マイクロコントローラ、ＡＳＩＣなどを含み得る。プロセッサ１５２６は、メモリを含むことができる。プロセッサ１５２６は、メモリ１５２８から受信したデータ１５３０および命令１５３２、ならびにトランシーバ１５２０、ベースバンド通信モジュール、および／またはネットワーク通信モジュールを介した情報を処理することができる。プロセッサ１５２６は、また、トランシーバ１５２０に送信され、アンテナ１５３６を介して、コアネットワークへの送信のためにネットワーク通信モジュールに送信すべき情報を処理することができる。
【００７８】
１以上の表示コンポーネント１５３４は、個人または他のデバイスにデータ表示を提示する。例示的な１以上の表示コンポーネント１５３４は、表示デバイス、スピーカー、印刷コンポーネント、振動コンポーネントなどを含む。
【００７９】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識し得る。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１】
2021503230.tif 000003
【図２】
2021503230.tif 000004
【図３】
2021503230.tif 000005
【図４】
2021503230.tif 000006
【図５】
2021503230.tif 000007
【図６Ａ】
2021503230.tif 000008
【図６Ｂ】
2021503230.tif 000009
【図７Ａ】
2021503230.tif 000010
【図７Ｂ】
2021503230.tif 000011
【図７Ｃ】
2021503230.tif 000012
【図７Ｄ】
2021503230.tif 000013
【図８】
2021503230.tif 000014
【図９】
2021503230.tif 000015
【図１０】
2021503230.tif 000016
【図１１】
2021503230.tif 000017
【図１２】
2021503230.tif 000018
【図１３】
2021503230.tif 000019
【図１４Ａ】
2021503230.tif 000020
【図１４Ｂ】
2021503230.tif 000021
【図１５】
2021503230.tif 000022
【国際調査報告】
2021503230.tif 000023
2021503230.tif 000024